(57)【要約】【課題】追跡用の識別用液体を収納してなる球状体を非力な女性等であってもあるいは犯人、逃走車との間にかなりの距離があっても、犯人あるいは逃走車等に対し確実に命中させることができ、犯人の衣服、あるいは逃走車に追跡の目印となる蛍光着色液体等の識別用液体を確実に附着させることができる防犯具を提供することを目的とする。【解決手段】球形カプセル２内に識別用液体を充填してなる弾丸１と、該弾丸を装填し犯人、暴漢、逃走車等目的物に向け発射することのできる弾丸発射具７とからなり、弾丸発射具７から発射された弾丸１が前記犯人、暴漢、逃走車等の目的物に当たると前記弾丸１は破裂し識別用液体５が目的物に附着し犯人追跡の目印となる。【選択図】  図６
2004309086.tif 000002
【特許請求の範囲】
【請求項１】
カプセル内に識別用液体を充填してなる弾丸と、該弾丸を装填し犯人、暴漢、逃走車等目的物に向け発射することのできる弾丸発射具とからなり、弾丸発射具から発射された弾丸が前記犯人、暴漢、逃走車等の目的物に当たると前記弾丸は破裂し識別用液体が目的物に附着し犯人追跡の目印となることを特徴とする防犯具。
【請求項２】
弾丸発射具は圧縮ガス等の発射源を備え、引き金等の発射操作部の操作により弾丸が発射される形態の拳銃型としたことを特徴とする請求項１記載の防犯具。
【請求項３】
弾丸の識別用液体中には弾丸破裂時に識別用液体の飛散範囲が拡がるための拡散剤を混入してなることを特徴とする請求項１記載の防犯具。
【請求項４】
弾丸には弾丸破裂時に犯人、暴漢、逃走車等の目的物に附着し目的物所在地を探知することのできる電波を発信するＩＣチップを入れてなることを特徴とする請求項１記載の防犯具。
【請求項５】
識別用液体は識別性が増す着色蛍光塗料あるいはいったん附着した後は払拭消去不可の着色剤が使用されることを特徴とする請求項１記載の防犯具。
【請求項６】
弾丸は弾丸発射具の弾倉内に複数弾収納されてなり、弾倉底部に取付けられたスプリング等の弾性材により銃身部方向へ押し上げられ連発自在としてなることを特徴とする請求項１記載の防犯具。
【請求項７】
弾丸は発射具本体に対し交換自在なカートリッジに複数弾収納されてなることを特徴とする請求項１記載の防犯具。
【請求項８】
弾丸の先端部には目的物に当たった際破裂しやすくするための肉薄部を設けるべくスリットを形成したことを特徴とする請求項１記載の防犯具。
【発明の詳細な説明】
【０００１】
【発明の属する技術分野】
本発明は銀行強盗、暴走族による違法走行、ひったくり、万引き、不審者の侵入等各種犯罪に対する防犯に使用して有用な防犯具に関する。
【０００２】
【従来の技術】
従来、銀行等に常備され銀行強盗等の犯人あるいは逃走車に対し命中させることにより犯人の衣服や逃走車に着色液を附着させこれが犯人追跡の目印となる所謂カラーボールが存在する。
このカラーボールは球形カプセル内に赤色等目につきやすい着色液を充填し犯人あるいは逃走車にこれが命中した時にはカプセルが容易に破裂する構造から成る（例えば特許文献１参照）。
【０００３】
【特許文献１】
実用新案登録第３０６１７９９号登録実用新案公報
【０００４】
【発明が解決しようとする課題】
しかしながら、この種カラーボールにあっては手投げにより命中させなければならないため、銀行強盗の侵入等動揺せざるを得ない状況下においてはコントロールが定まらず、またある程度の距離をスピードをつけて投げることが必要であることから高度の命中率は望むべくもなく、犯人にたやすく逃走されてしまうこともしばしばである。
特に女性にあっては男性に比較し非力であることから、この種カラーボールを犯人に命中させることは困難である。
【０００５】
そこで本発明にあっては追跡用の識別用液体を収納してなる球状体を非力な女性等であってもあるいは犯人、逃走車との間にかなりの距離があっても、犯人あるいは逃走車等に対し確実に命中させることができ、犯人の衣服、あるいは逃走車に追跡の目印となる蛍光着色液体等の識別用液体を確実に附着させることができるべく工夫をこらしてなる防犯具を提供することを第１の目的とする。
【０００６】
本発明の第２の目的は、命中した際には着色液等の識別用液体が大径に拡散しその目印がより充分に視認されるべく工夫をこらし、さらにいったん識別用液体が附着した後は犯人が遠方あるいは人目につかないところに逃走したとしてもその居所を容易に探知することができる点にも工夫をこらし、より一層犯人逮捕率の向上を図ることができ完璧な防犯対策の一助ともなる防犯具を提供することにある。
【０００７】
【課題を解決するための手段】
上記目的を達成するため、本発明の防犯具は、カプセル内に識別用液体を充填してなる弾丸と、該弾丸を装填し犯人、暴漢、逃走車等目的物に向け発射することのできる弾丸発射具とからなり、弾丸発射具から発射された弾丸が前記犯人、暴漢、逃走車等の目的物に当たると前記弾丸は破裂し識別用液体が目的物に附着し犯人追跡の目印となることを特徴とするものである。
【０００８】
また、弾丸発射具は圧縮ガス等の発射源を備え、引き金等の発射操作部の操作により弾丸が発射される形態の拳銃型としたことを特徴とするものである。
【０００９】
また、弾丸の識別用液体中には弾丸破裂時に識別用液体の飛散範囲が拡がるための拡散剤を混入してなることを特徴とするものである。
【００１０】
また、弾丸には弾丸破裂時に犯人、暴漢、逃走車等の目的物に附着し目的物所在地を探知することのできる電波を発信するＩＣチップを入れてなることを特徴とするものである。
【００１１】
また、識別用液体は識別性が増す着色蛍光塗料あるいはいったん附着した後は払拭消去不可の着色剤が使用されることを特徴とするものである。
【００１２】
また、弾丸は弾丸発射具の弾倉内に複数弾収納されてなり、弾倉底部に取付けられたスプリング等の弾性材により銃身部方向へ押し上げられ連発自在としてなることを特徴とするものである。
【００１３】
また、弾丸は発射具本体に対し交換自在なカートリッジに複数弾収納されてなることを特徴とするものである。
【００１４】
また、弾丸の先端部には目的物に当たった際破裂しやすくするための肉薄部を設けるべくスリットを形成したことを特徴とするものである。
【００１５】
【発明の実施の形態】
図１、図２は本発明の防犯具に使用される弾丸１を示し弾丸１は先方部分２ａを突円状としてなる球形カプセル２からなり、この球形カプセル２の基盤部分には発射時の衝撃に耐えられるべくプラスチック板体３が装着されている。
【００１６】
４はカプセル２の先端部に形成されたスリットであり、弾丸１が犯人等の目的物に命中した時には、破裂しやすくするため当該スリット４が形成されたカプセル２部分は肉薄に形成されている。
【００１７】
５はこの球形カプセル１内に充填されてなる識別用液体であり本実施例にあっては目立ちやすくするため赤色等の蛍光塗料が使用されている。
またいったん衣服、自動車等に附着した後はこれを払拭消去不可の識別用液体５を用いることも勿論可能である。
【００１８】
さらにこの識別用液体５内に製造時固形炭酸ガスを入れる等してカプセル２内に圧縮ガス等からなる拡散剤を添加することにより犯人、逃走車に弾丸１があたり破裂した際、識別用液体５の飛散範囲を拡げ外部から識別性の向上化を図ることもできる。
【００１９】
特に本発明にあっては弾丸発射具にこめられる弾丸形態であることから従来のカラーボールとは異なりその大きさに限度があり、識別用液体５の量もある程度に限られ衣服、逃走車に当った際もその拡散附着範囲はカラーボールに比較し小範囲であることからこの拡散剤の添加は極めて有効である。
【００２０】
そしてさらにこの弾丸１内には電波発信のできるＩＣチップ６が収納されている。このＩＣチップ６は識別用液体５内に若しくはＩＣチップ６のみがカプセル２に収納されるものであり本実施例にあっては砂状ＩＣチップが用いられる。
【００２１】
弾丸１が破裂し識別用液体５とともにＩＣチップ６が犯人の衣服、逃走車等に附着した時にはＩＣチップ６よりの電波がこれをキャッチする携帯電話の基地局や人工衛星等を介してその位置がセキュリティ会社あるいは警察署、銀行強盗に入られた当該銀行の受信装置等に送信され現在位置が即判明する。
【００２２】
次に本発明の弾丸発射具７について説明する。
本実施例の弾丸発射具７は図３〜図６に示すように拳銃タイプとしてなるものであり弾丸１が通過する銃身部８と弾倉部９及び発射部１０、発射源１１を内蔵したグリップ部１２とひき金等の弾丸発射操作部１３とからなる。
【００２３】
また弾丸発射操作部１３には未使用時に誤射することを防ぐため安全装置部材１４がストッパーとして取付けられており未使用時は弾丸発射操作部１３の操作は不可能であり、使用時のみ図３に示すように安全ピン１４ａを操作し安全装置部材１４を取り外し弾丸発射操作部１３の操作を可能とする。
【００２４】
また図５に示すように弾倉部９には複数個の弾丸１が装填されており下方に取付けたスプリング１５の付勢力により弾丸１は常時上方の銃身部８方向へ押し上げられ一発発射すると即時に次の弾丸１が銃身部８の基部へと送り込まれ連発可能な構成としている。また複数の弾丸を装填してなる弾倉部９は図面に示すようにカートリッジ形式としグリップ部１２内に取付け取外し自在の形態としてもよい。
【００２５】
また発射源としては本実施例にあっては圧縮ガスを内蔵したガスボンベ１１が挿脱自在に収納されており、ガスボンベ１１からの圧縮ガスは上方部の発射部１０内に導入され圧縮ガスが充満している。
【００２６】
今必要に応じて弾丸１を発射せんとする時には図６に示すように安全装置部材１４を外し、ねらいを定めてひき金等の弾丸発射操作部１３を操作すれば、通常は発射部１０と銃身部８基部内部と連通する通孔部１６は蓋部材１７がスプリング１８の作用にて通孔部１６を被蓋し閉状態となっているのであるが、引き金を引く等弾丸発射操作部１３の発射のための操作をすると、これに連動する発射部１０内のレバー１９が蓋部材１７を開蓋し通孔部１６が通孔状態となり圧縮ガスが強大な力で銃身部８基部の弾丸１に向かい噴出し、銃身部８基部に位置する弾丸１は犯人、逃走車等を目がけて次々と発射されることとなる。
【００２７】
尚、本実施例にあっては圧縮ガスを発射源とする拳銃形態の弾丸発射具に例をとり説明したが、この形態に限らず、本発明に係る弾丸が手投げによらず発射装置により発射されるものであればその発射源の種類は圧縮ガスに限られるものでなく、また発射手段等も本実施例のものに限定されるものではない。
また連発方式の方が犯人等に命中する確率が向上するが、勿論単発方式のものであってもよい。
【００２８】
しかして本発明に係る弾丸１が装填された弾丸発射具７により発射され銀行強盗等の犯人、逃走車に命中した時は、弾丸１の先端部はスリット４が形成され破裂しやすく構成されていることから容易に破裂し犯人の衣服、逃走車等に飛び散り赤色蛍光塗料等の目立ちやすく払拭不可の識別用液体５が附着する。
【００２９】
またこの識別用液体５中に飛散範囲が拡大する拡散剤を添加しておけば命中時小径の飛散範囲はまたたく間に拡大化し、より一層目立つ有効な追跡目印とすることができる。
【００３０】
さらに銃丸１内に単独に若しくは識別用液体中に砂状ＩＣチップ６を入れておけば弾丸が犯人、逃走車に命中し識別用液体５とともに犯人、逃走車に付着すればどのようなところに逃げ込んでも、また遠方地域に逃走したとしてもＩＣチップにより発信される電波はこれを受信する携帯電話の基地局、人工衛星等を介して即居所が判明するものである。
【００３１】
【発明の効果】
しかして本発明の防犯具によれば従来銀行強盗等に使用され手投げ方式のカラーボールとは異なり、発射装置を用いて容易にしかも命中確率高く犯人、逃走車等に命中させることができる。
【００３２】
したがって銀行強盗等行内に混乱をきたし動揺している時であっても、また女性等非力な人にあっても確実に本発明に係る識別用液体あるいは命中時拡散する拡散剤添加の識別用液体あるいは砂状ＩＣチップが収納されている弾丸を、本発明に係る発射装置を用いて犯人、逃走車等に対し容易にしかも確実に命中させることができる。
【００３３】
また弾丸先端部にはスリットが形成されていることから、犯人、逃走車に命中した時には確実に破裂することができる。
【００３４】
さらにまた拡散剤の添加、あるいは砂状ＩＣチップの収納等の工夫をもこらしたことから犯人、逃走車の識別効果が一段とアップするとともに、遠方あるいは人目につきにくい場所に逃走したとしても極めて容易に追跡、逮捕することができる。
【００３５】
以上述べたように年々増加している凶悪犯罪に対し、犯人をみすみす逃走させ、迅速な検挙に至らない事件が頻繁に発生していたが、本発明の防犯具を使用すれば逃走する犯人を追跡中、逆に刺殺等の二重被害に遭遇することもなく、確実しかも安全に犯人を追跡逮捕することができ、従来のカラーボール等の防犯具に比較し極めて効果的な防犯効果を発揮することが可能となった。
【図面の簡単な説明】
【図１】本発明の防犯具に使用される弾丸を示す正面図である。
【図２】弾丸の内部構造を示す図１のＡ−Ａ線断面図である。
【図３】本発明の防犯具に使用される弾丸発射具の一実施例を示す側面図である。
【図４】本発明の防犯具に使用される弾丸発射具の一実施例を示す正面図である。
【図５】本発明の防犯具に使用される弾丸発射具の内部構造を示す図４のＢ−Ｂ線断面図である。
【図６】本発明の防犯具に使用される弾丸発射具の弾丸発射方法の一実施例を示す断面図である。
【符号の説明】
１  弾丸
２  球形カプセル
３  プラスチック板体
４  スリット
５  識別用液体
６  ＩＣチップ
７  弾丸発射具
８  銃身部
９  弾倉部
１０  発射部
１１  ガスボンベ
１２  グリップ部
１３  弾丸発射操作部
１４  安全装置部材
１４ａ  安全ピン
１５  スプリング
１６  通孔部
１７  蓋部材
１８  スプリング
１９  レバー
【図１】
2004309086.tif 000003
【図２】
2004309086.tif 000004
【図３】
2004309086.tif 000005
【図４】
2004309086.tif 000006
【図５】
2004309086.tif 000007
【図６】
2004309086.tif 000008